(57)【要約】 【課題】観察される立体画像の画質を向上させることが可能な立体画像表示装置を提供する。【解決手段】実施形態の立体画像表示装置は、第１表示素子と第２表示素子と第１光学素子と第２光学素子とを備える。第１表示素子は、複数の画素が配列される。第２表示素子は、複数の画素が配列されるとともに第１表示素子と重ねて配置される。第１光学素子は、第１表示素子と第２表示素子との間に配置され、第２表示素子の長手方向または短手方向に対して０度以外の角度で傾いた方向に延びるレンズが周期的に配列される。第２光学素子は、第１表示素子と第１光学素子との間に配置され、第１光学素子から射出される光のうち第１の偏光方向の光を第１表示素子へ射出する。【選択図】図１
2015099321.tif 000002
【特許請求の範囲】
【請求項１】
複数の画素が配列される第１表示素子と、
複数の画素が配列されるとともに前記第１表示素子と重ねて配置される第２表示素子と、
前記第１表示素子と前記第２表示素子との間に配置され、前記第２表示素子の長手方向または短手方向に対して０度以外の角度で傾いた方向に延びるレンズが周期的に配列される第１光学素子と、
前記第１表示素子と前記第１光学素子との間に配置され、前記第１光学素子から射出される光のうち第１の偏光方向の光を前記第１表示素子へ射出する第２光学素子と、を備える、
立体画像表示装置。
【請求項２】
前記第１光学素子は、レンチキュラーレンズである、
請求項１に記載の立体画像表示装置。
【請求項３】
前記第１表示素子は、観察者に最も近い位置に配置される、
請求項１に記載の立体画像表示装置。
【請求項４】
前記第１表示素子および前記第２表示素子の各々と重ねて配置されるとともに、複数の画素が配列される第３表示素子をさらに備え、
前記第３表示素子は、前記第１表示素子と前記第２表示素子との間には配置されない、
請求項３に記載の立体画像表示装置。
【請求項５】
前記第１光学素子と前記第２表示素子との間に配置され、前記第２表示素子から射出される光のうち第２の偏光方向の光を前記第１光学素子へ射出する第３光学素子をさらに備える、
請求項１に記載の立体画像表示装置。
【請求項６】
前記第１の偏光方向と前記第２の偏光方向は同一である、
請求項５に記載の立体画像表示装置。
【請求項７】
前記第１の偏光方向および前記第２の偏光方向の各々は、前記第１光学素子の偏光特性に応じた方向である、
請求項５に記載の立体画像表示装置。
【請求項８】
前記第１の偏光方向および前記第２の偏光方向の各々は、前記第３光学素子から射出される光のうち前記第１光学素子を介して前記第２光学素子を透過する光が最大となる方向である、
請求項７に記載の立体画像表示装置。
【請求項９】
前記第２表示素子と前記第３表示素子との間に配置され、前記第３表示素子の長手方向または短手方向に対して０度以外の角度で傾いた方向に延びるレンズが周期的に配列される第４光学素子と、
前記第２表示素子と前記第４光学素子との間に配置され、前記第４光学素子から射出される光のうち第３の偏光方向の光を前記第２表示素子へ射出する第５光学素子と、を備える、
請求項４に記載の立体画像表示装置。
【請求項１０】
前記第２光学素子は、
直線偏光板、楕円偏光板、円偏光板のうちの何れかである、
請求項１に記載の立体画像表示装置。
【発明の詳細な説明】
【技術分野】
【０００１】
本発明の実施形態は、立体画像表示装置に関する。
【背景技術】
【０００２】
複数の表示パネルを積層し、各表示パネルに２次元像を表示することで３次元像を表示するＤＦＤ（Depth  Fused  3-D）方式の表示装置や、各層の画素の輝度値を、表示したい３次元像の光線空間に最も近くなるように最適化する表示装置（コンテンツ適用型裸眼立体視ディスプレイ）が知られている。
【０００３】
これらの表示装置では、各表示パネルが有する光学的開口部（光を透過させる開口部）の配列の周期性に応じて射出される光が干渉して、明暗の帯が生じることがあり、この帯をモアレと呼ぶ。
【０００４】
このモアレを抑制するために、例えば光を拡散する拡散板や、入射光を複数の光路に分岐させる光学素子（例えばプリズムやレンチキュラーレンズ）をパネル間に配置する技術が知られている。
【先行技術文献】
【特許文献】
【０００５】
【特許文献１】特開２００５−１７２９６９号公報
【特許文献２】米国特許出願公開第２０１２／０１４０１３１号明細書
【発明の概要】
【発明が解決しようとする課題】
【０００６】
しかしながら、従来技術においては、モアレを抑制するために配置した光学素子によって偏光状態が変化するために、観察される立体画像に輝度のムラ（不均一性）が生じる。これにより、観察される立体画像の画質が低下するという問題がある。
【０００７】
本発明が解決しようとする課題は、観察される立体画像の画質を向上させることが可能な立体画像表示装置を提供することである。
【課題を解決するための手段】
【０００８】
実施形態の立体画像表示装置は、第１表示素子と第２表示素子と第１光学素子と第２光学素子とを備える。第１表示素子は、複数の画素が配列される。第２表示素子は、複数の画素が配列されるとともに第１表示素子と重ねて配置される。第１光学素子は、第１表示素子と第２表示素子との間に配置され、第２表示素子の長手方向または短手方向に対して０度以外の角度で傾いた方向に延びるレンズが周期的に配列される。第２光学素子は、第１表示素子と第１光学素子との間に配置され、第１光学素子から射出される光のうち第１の偏光方向の光を第１表示素子へ射出する。
【図面の簡単な説明】
【０００９】
【図１】実施形態の立体画像表示装置の構成の一例を示す図。
【図２】実施形態の液晶ディスプレイの断面の一例を示す図。
【図３】変形例の立体画像表示装置の構成の一例を示す図。
【図４】変形例の立体画像表示装置の構成の一例を示す図。
【図５】変形例の立体画像表示装置の構成の一例を示す図。
【発明を実施するための形態】
【００１０】
以下、添付図面を参照しながら、本発明に係る立体画像表示装置の実施形態を詳細に説明する。本実施形態の立体画像表示装置は、複数の画素がそれぞれに配列された複数（少なくとも２つ）の表示素子を積層し、各表示素子に２次元画像を表示することで、立体画像を表示する方式の立体画像表示装置である。立体画像とは、互いに視差を有する複数の視差画像を含む画像であり、視差とは、異なる方向から見ることによる見え方の差をいう。画像とは、静止画像又は動画像のいずれであってもよい。なお、画素とは、色情報（色調や階調）を持つ最小単位を表す。
【００１１】
図１は、本実施形態の立体画像表示装置１の構成の一例を示す図である。図１に示すように、立体画像表示装置１は、表示部１０と、制御部２０とを備える。
【００１２】
表示部１０は、積層された複数の表示素子を含み、各表示素子の画素の輝度値は、表示したい立体画像の光線空間に最も近くなるように最適化される。各表示素子の画素の輝度値を最適化する方法としては、例えば上述の特許文献２に開示された方法を利用することができる。
【００１３】
図１に示すように、表示部１０は、第１表示素子１１０と、第２光学素子１３０と、第１光学素子１２０と、表示素子群１１１と、光源１０１とを備える。図１の例では、観察者１００に近い方から、第１表示素子１１０、第２光学素子１３０、１２光学素子１２０、表示素子群１１１、光源１０１の順番で配置される。
【００１４】
図１の例では、表示素子群１１１は、互いに重ねて配置される（積層される）複数の表示素子を含んでいるが、これに限らず、表示素子群１１１に含まれる表示素子の数は１つであってもよい。ここでは、表示素子群１１１に含まれる複数の表示素子のうち、観察者１００に最も近い位置に配置される表示素子は、請求項の「第２表示素子」に対応していると考えることができる。以下の説明では、この表示素子を、「第２表示素子」と称する場合がある。
【００１５】
また、図１の例では、表示素子群１１１に含まれる複数の表示素子のうち第２表示素子以外の表示素子は、請求項の「第３表示素子」に対応していると考えることができる。以下の説明では、表示素子群１１１に含まれる複数の表示素子のうち第２表示素子以外の表示素子を「第３表示素子」と称する場合がある。また、図１の例では、表示素子群１１１に含まれる複数の表示素子（第２表示素子、第３表示素子）の各々と重ねて配置される第１表示素子１１０は、請求項の「第１表示素子」に対応していると考えることができる。ここでは、第１表示素子１１０は、観察者１００に最も近い位置に配置され、第３表示素子は、第１表示素子１１０と第２表示素子との間には配置されない。
【００１６】
第１表示素子１１０、および、表示素子群１１１に含まれる複数の表示素子の各々には、複数の画素が配列される。本実施形態では、第１表示素子１１０、および、表示素子群１１１に含まれる複数の表示素子の各々は、互いに対向する２つの透明基板と、２つの透明基板間に挟持された液晶層とを含む液晶型ディスプレイ（液晶パネル）で構成される場合を例に挙げて説明するが、これに限られるものではない。
【００１７】
例えば液晶型ディスプレイが、アクティブマトリクス型の液晶型ディスプレイで構成される場合、一方の透明基板（以下の説明では「第１透明基板」と称する場合がある）上には、複数の画素と１対１に対応する複数の透明電極（以下の説明では、「画素電極」と称する場合がある）がマトリクス状（行列状）に形成される。また、他方の透明基板（以下の説明では、「第２透明基板」と称する）のうち、第１透明基板と対向する側の面には、全面にわたって透明電極（以下の説明では「共通電極」と称する場合がある）が形成される。透明基板は、例えばガラスなどで構成され、透明電極は、例えばＩＴＯ（Indium  Tin  Oxide）などで構成され得る。
【００１８】
図２は、アクティブマトリクス型で構成された液晶型ディスプレイの１つの画素に対応する断面の一例を示す図である。図２の例では、符号２０１は第１透明基板を示し、符号２０２は第２透明基板を示し、符号２０３は画素電極を示し、符号２０４は共通電極を示し、符号２０５は液晶層を示す。図２の例では、第２透明基板２０２は、第１透明基板２０１よりも観察者１００に近い位置に配置される。第１透明基板２０１のうち第２透明基板２０２と対向する側の面には、画素電極２０３の他にも、画素電極２０３と共通電極２０４との間の電位差を制御するのに用いられるトランジスタ（例えばＴＦＴ（Thin  Film  Transistor））や配線なども形成されるが、ここでは図示を省略している。第１透明基板２０１を透過して第２透明基板２０２の方へ向かう光が、画素電極２０３と共通電極２０４との間に介在する液晶層２０５を透過する割合（透過率）は、画素電極２０３と共通電極２０４との間の電位差に応じて変化する。
【００１９】
第２透明基板２０２のうち第１透明基板２０１と対向する側の面には、格子状のブラックマトリクスＢＭが形成される。第２透明基板２０２のうち、ブラックマトリクスＢＭによって仕切られる複数の領域（光を透過させる開口部）は、複数の画素電極２０３と１対１に対応し、各領域には、例えばＲ（赤）、Ｇ（緑）、Ｂ（青）のうちの何れかの色に対応する波長の光を透過させるカラーフィルタ２１０が形成される。すなわち、液晶型ディスプレイは、マトリクス状に配列された複数の光学的開口部（この例ではカラーフィルタ２１０）を有していると考えることができる。
【００２０】
また、図２の例では、液晶型ディスプレイの表示面（複数の画素が配列された領域を示す面）から観察者１００へ向かう方向を「上」、光源１０１へ向かう方向を「下」と定義した場合、第１透明基板２０１の下面には、偏光板２１１が貼付される。また、第２透明基板２０２の上面には、偏光板２１２が貼付される。偏光板２１１は、光源１０１側から入射する光を偏光させ、偏光板２１２は、液晶層２０５を透過してきた光を偏光させる。これらの偏光板２１１および２１２による偏光の方向は、液晶層２０５に含まれる液晶分子の配列の影響によって変化する光の偏光方向に応じて決定される。なお、液晶型ディスプレイの構造は、アクティブマトリクス型に限られるものではなく、例えばパッシブマトリクス型であってもよい。
【００２１】
図１に戻って説明を続ける。この例では、第１表示素子１１０、および、表示素子群１１１に含まれる複数の表示素子の各々を構成する液晶型ディスプレイは透過型の液晶型ディスプレイであり、光源１０１として、冷陰極管、熱陰極蛍光灯、エレクトロルミセンスパネル、発光ダイオード、電球等を使用することができる。また、例えば液晶型ディスプレイは、反射型の液晶型ディスプレイで構成されてもよい。この場合、光源１０１として、太陽光や室内の電灯光などの外光を反射する反射層を使用することができる。さらに、例えば液晶型ディスプレイは、透過型と反射型を兼ね備えた半透過型の液晶型ディスプレイで構成されてもよい。
【００２２】
第１光学素子１２０は、モアレを抑制するための光学部品である。このモアレとは、第１表示素子１１０が有する光学的開口部の配列の周期性に応じて射出される光によって形成される像の空間周波数と、第２表示素子が有する光学的開口部の配列の周期性に応じて射出される光によって形成される像の空間周波数とのうなり現象であると考えることもできる。そこで、第１表示素子１１０よりも観察者１００から離れている第２表示素子が有する光学的開口部の配列の周期性に応じて射出される光によって形成される像の空間周波数が下がるように（像がボケるように）、第２表示素子から射出される光の光路を変更すれば、うなり現象の発生を抑制することができる（モアレの発生を抑制することができる）。
【００２３】
前述したように、第１表示素子１１０および第２表示素子の各々は、マトリクス状に配列された複数の画素電極２０３と１対１に対応する複数の光学的開口部（この例ではカラーフィルタ２１０）を有しており、第１光学素子１２０は、第１表示素子１１０が有する光学的開口部の配列の周期性に応じて射出される光と、第２表示素子が有する光学的開口部の配列の周期性に応じて射出される光との干渉を抑制するように配置されることが好ましい。本実施形態では、第１表示素子１１０と第２表示素子との間に配置された第１光学素子１２０は、第２表示素子の長手方向または短手方向に対して０度以外の角度で傾いた方向に延びるレンズ（シリンドリカルレンズ）が周期的に配列されたレンチキュラーレンズで構成される。レンチキュラーレンズが斜めに設定されることで、ブラックマトリクスＢＭの形成する格子パターンの像が斜めに歪み、第２表示素子が有する光学的開口部の周期性が非等方に縮小する。これにより、第１表示素子１１０が有する光学的開口部の周期性との干渉が抑制され、モアレが低減される。なお、本実施形態では、凸形状のレンチキュラーレンズを用いる場合を例に挙げているので、第２表示素子が有する光学的開口部の周期性が非等方に縮小する。例えば凹形状のレンチキュラーレンズを用いる場合には、第２表示素子が有する光学的開口部の周期性が非等方に拡大する。なお、凹形状のレンチキュラーレンズ、凸形状のレンチキュラーレンズのどちらを用いる場合であっても、第２表示素子が有する光学的開口部の周期性と第１表示素子１１０が有する光学的開口部の周期性との干渉が抑制され、モアレが低減される。
【００２４】
第２光学素子１３０は、第１表示素子１１０と第１光学素子１２０との間に配置され、第１光学素子１２０から射出される光のうち第１の偏光方向の光を第１表示素子１１０へ射出する。偏光方向とは、光の進行方向に直交する２次元平面内の電子の運動方向であると考えることができる。
【００２５】
例えば上述の特許文献１に開示された技術では、積層される表示パネル（表示素子）間にレンチキュラーレンズを配置することで、光学的開口部の周期性が引き起こす光の干渉を抑制（モアレを抑制）していたものの、レンチキュラーレンズが光の偏光状態を乱すことにより、観察者から見て光学素子より遠方に位置する表示パネルの輝度にムラ（不均一性）が生じたように観察されるという問題がある。そこで、本実施形態では、斜めに設定されたレンチキュラーレンズ（第１光学素子１２０）の観察者１００側に上述の第２光学素子１３０を配置し、レンチキュラーレンズによって乱れた偏光方向を補正することで輝度のムラを解消している。
【００２６】
第２光学素子１３０は、例えば直線偏光板、楕円偏光板、円偏光板のうちの何れかで構成され得るが、第１光学素子１２０の光学特性に応じて、第１表示素子１１０側へ透過する光が最大となるように偏光板の種類を選択することが好ましい。例えば本実施形態のように、第１光学素子１２０が、一方向への偏光を主に引き起こすレンチキュラーレンズの場合、第２光学素子１３０としては、レンチキュラーレンズのレンズ長手方向に偏光を回転する楕円偏光板を使用することが好ましい。楕円偏光板を使用することでレンチキュラーレンズによる偏光を最小限に抑えることができ、レンチキュラーレンズによる表示素子群１１１の輝度変化を最小限に抑えることができる。
【００２７】
次に、図１に示す制御部２０について説明する。制御部２０は、表示部１０を制御する装置である。制御部２０は、例えば特許文献２に開示された方法を利用して、任意の立体画像を表示するために各表示素子（第１表示素子１１０、表示素子群１１１に含まれる表示素子）に表示すべき像を決定する。つまり、制御部２０は、表示したい立体画像の光線空間に最も近くなるよう、各表示素子に配列された複数の画素の各々の輝度値を最適化する。そして、制御部２０は、各表示素子の画素の輝度値が、最適化された値になるよう、電極（画素電極２０３、共通電極２０４）の電位や光源１０１の駆動を制御する。なお、２次元画像のみを提示する場合、制御部２０は、積層された複数の表示素子のうちの何れか１つの表示素子に当該２次元画像を表示する制御を行うことができる。
【００２８】
以上に説明したように、本実施形態では、モアレを抑制することを目的として斜めに設定されたレンチキュラーレンズ（第１光学素子１２０）の観察者１００側に、レンチキュラーレンズによって乱れた偏光方向を補正する第２光学素子１３０が配置されるので、観察される立体画像に輝度のムラが生じることを抑制できる。これにより、観察される立体画像の画質を向上させることができる。
【００２９】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００３０】
（変形例）
以下、変形例を説明する。
【００３１】
（１）変形例１
第１表示素子１１０、表示素子群１１１に含まれる表示素子としては、液晶型ディスプレイに限られず、例えばプラズマ型ディスプレイ、電界放出型ディスプレイ、有機ＥＬ型ディスプレイを使用することができる。表示素子群１１１に含まれる１以上の表示素子のうち観察者１００から最も離間した表示素子を、有機ＥＬ型ディスプレイなどの自発光ディスプレイで構成した場合は、光源１０１を省略することができる。ただし、半透過型の自発光ディスプレイで構成した場合は、光源１０１を併用することもできる。
【００３２】
（２）変形例２
例えば図３に示すように、第１光学素子１２０と第２表示素子との間に配置され、第２表示素子から射出される光のうち第２の偏光方向の光を第１光学素子１２０へ射出する第３光学素子１３１をさらに備える形態であってもよい。図３の例では、立体画像表示装置を「立体画像表示装置２」と表記し、表示部を「表示部１１」と表記する。
【００３３】
ここで、上述の実施形態では、第２表示素子から射出された光のうち、第２光学素子１３０を透過させるべきではない光が、第１光学素子１２０によって第１の偏光方向の光に変調されて第２光学素子１３０を透過してしまうおそれがある。これに対して、図３の例では、第１光学素子１２０と第２表示素子との間に第３光学素子１３１を配置することで、第２表示素子から射出された光のうち、第２光学素子１３０を透過させるべきではない光が第１光学素子１２０側に射出されることを予め防止することができる。これにより、画質の低下を防止することができる。
【００３４】
例えば上述の第１の偏光方向と上述の第２の偏光方向とが同一になるよう、第２光学素子１３０および第３光学素子１３１の各々の吸収軸（あるいは透過軸）の方向を平行に配置してもよい。ただし、第２光学素子１３０と第１光学素子１２０の間、あるいは第３光学素子１３１と第１光学素子１２０との間に、１／２波長板等の光学素子を配置して偏光方向を変えた場合には、第３光学素子１３１から射出された光のうち第１光学素子１２０を介して第２光学素子１３０を透過する光が最大となるように吸収軸（あるいは透過軸）の方向を配置することが好ましい。つまり、この場合の第１の偏光方向および第２の偏光方向の各々は、第１光学素子の偏光特性に応じた方向となる。より具体的には、第１の偏光方向および第２の偏光方向の各々は、第３光学素子１３１から射出された光のうち第１光学素子１２０を介して第２光学素子１３０を透過する光が最大となる方向であることが好ましい。
【００３５】
なお、図３の例では、上述の実施形態と同様、表示素子群１１１は、互いに重ねて配置される複数の表示素子を含んでいるが、これに限らず、表示素子群１１１に含まれる表示素子の数は１つであってもよい。
【００３６】
（３）変形例３
例えば表示素子群１１１に含まれる複数の表示素子（第２表示素子、第３表示素子）の各々の間に、モアレを抑制するためのレンチキュラーレンズ（斜めに設定されたレンチキュラーレンズ）と、当該レンチキュラーレンズによって乱れた偏光方向を補正するための光学素子（典型的には偏光板）とが配置される形態であってもよい。ここでは、図４に示すように、表示素子群１１１に含まれる表示素子の数が２つである場合を例に挙げて説明するが、表示素子群１１１に含まれる表示素子の数が３つ以上の場合も同様に考えることができる。図４の例では、立体画像表示装置を「立体画像表示装置３」と表記し、表示部を「表示部１２」と表記する。また、表示素子群１１１に含まれる２つの表示素子のうち、観察者１００に近い方に配置される表示素子を「第２表示素子１１１ａ」と表記し、光源１０１に近い方に配置される表示素子を「第３表示素子１１１ｂ」と表記する。
【００３７】
図４の例では、第２表示素子１１１ａと第３表示素子１１１ｂとの間に、モアレを抑制するための第４光学素子１２１が配置される。第４光学素子１２１は、第３表示素子１１１ｂの長手方向または短手方向に対して０度以外の角度で傾いた方向に延びるレンズ（シリンドリカルレンズ）が周期的に配列されるレンチキュラーレンズである。
【００３８】
また、図４の例では、第２表示素子１１１ａと第４光学素子１２１との間に、第４光学素子１２１によって乱れた偏光方向を補正する第５光学素子１３２が配置される。第５光学素子１３２は、第４光学素子１２１から射出される光のうち第３の偏光方向の光を第２表示素子１１１ａへ射出する。上述の第２光学素子１３０と同様に、第５光学素子１３２は、例えば直線偏光板、楕円偏光板、円偏光板のうちの何れかで構成され得る。
【００３９】
例えば上述の第１の偏光方向（第２光学素子１３０を透過する偏光方向）と第３の偏光方向とが同一になるよう、第２光学素子１３０および第５光学素子１３２の各々の吸収軸（あるいは透過軸）の方向を平行に配置してもよい。ただし、第５光学素子１３２と第２光学素子１３０の間において、１／２波長板等の光学部品が介在するために偏光方向が変化するような場合には、第５光学素子１３２から射出された光のうち第２光学素子１３０を透過する光が最大となるように吸収軸（あるいは透過軸）の方向を配置することが好ましい。要するに、この場合の第１の偏光方向および第３の偏光方向の各々は、第５光学素子１３２と第２光学素子１３０の間に介在する光学素子の偏光特性に応じた方向となる。
【００４０】
また、以上のように、表示素子群１１１に含まれる複数の表示素子の各々の間の全てに、モアレを抑制するためのレンチキュラーレンズと、当該レンチキュラーレンズによって乱れた偏光方向を補正するための光学素子とが配置されるのではなく、例えば表示素子群１１１に含まれる複数の表示素子の各々の間のうち、モアレを抑制するためのレンチキュラーレンズと、当該レンチキュラーレンズによって乱れた偏光方向を補正するための光学素子とが配置されない箇所も存在する形態であってもよい。
【００４１】
要するに、第２表示素子と第３表示素子との間に配置され、第３表示素子の長手方向または短手方向に対して０度以外の角度で傾いた方向に延びるレンズが周期的に配列される第４光学素子と、第２表示素子と第４光学素子との間に配置され、第４光学素子から射出される光のうち第３の偏光方向の光を第２表示素子へ射出する第５光学素子と、を備える形態であればよい。
【００４２】
（４）変形例４
上述の実施形態において、例えば上述の第２光学素子１３０が、第１表示素子１１０を構成する液晶パネルの下面の偏光板２１１（図２参照）を兼ねる構成であってもよい。この構成では、偏光板２１１は不要になるので、部品点数を削減することができる。これにより、製造コストを低減することができる。
【００４３】
（５）変形例５
例えば図３の構成において、第１表示素子１１０、表示素子群１１１に含まれる複数の表示素子の各々を構成する液晶型ディスプレイは、図２に示す偏光板（２１１、２１２）
が設けられない形態であってもよい。以下の説明では、第１表示素子を「第１表示素子１４０」と表記し、表示素子群を「表示素子群１５０」と表記し、表示素子群に含まれる複数の表示素子を「表示素子１４１」と表記し、表示部を「表示部１３」と表記し、立体画像表示装置を「立体画像表示装置４」と表記する。
【００４４】
図５は、本変形例の立体画像表示装置４の構成の一例を示す図である。図５に示すように、上述の第２光学素子１３０は、第１表示素子１４０の下面の偏光板（図２に示す偏光板２１１）としても機能する。また、図５の例では、第１表示素子１４０を挟んで第２光学素子１３０とは反対側（第１表示素子１４０の観察者１００側）に、上面の偏光板（図２に示す偏光板２１２）として機能する偏光板１３３が配置される。
【００４５】
また、図５の例では、上述の第３光学素子１３１は、表示素子群１５０に含まれる複数の表示素子１４１のうち、観察者１００に最も近い表示素子（第２表示素子）１４１の上面の偏光板としても機能する。また、図５の例では、表示素子群１５０は、表示素子１４１と、図２に示す偏光板２１１または偏光板２１２として機能する偏光板１３４とが交互に配置されて構成される。この構成では、２つの表示素子１４１の間に介在する１枚の偏光板１３４が、一方の表示素子１４１の下面の偏光板の機能と、他方の表示素子１４１の上面の偏光板の機能とを兼ねるので、部品点数を削減することができる。これにより、製造コストを低減することができる。
【００４６】
なお、以上の実施形態および各変形例は任意に組み合わせることが可能である。また、以上の変形例同士を組み合わせることも可能である。例えば上述の変形例２と上述の変形例３とを組み合わせてもよい。
【符号の説明】
【００４７】
１      立体画像表示装置
１０    表示部
２０    制御部
１００  観察者
１０１  光源
１１０  第１表示素子
１１１  表示素子群
１２０  第１光学素子
１２１  第４光学素子
１３０  第２光学素子
１３１  第３光学素子
１３２  第５光学素子
【図１】
2015099321.tif 000003
【図２】
2015099321.tif 000004
【図３】
2015099321.tif 000005
【図４】
2015099321.tif 000006
【図５】
2015099321.tif 000007